(57)【要約】      （修正有）【課題】構造が簡単であり、放熱モジュールを快速に脱着可能であり、放熱モジュールに加える圧力を調整可能とする放熱モジュール用固定部材を提供する。【解決手段】スリーブ１と、弾性子２と、挿入ロッド３と、を含む。スリーブ１は、基板と係合する定位端１１と、固定支持脚と嵌合するブッシュ１２と、を有し、ブッシュ１２には、定位端１１へ伸びる軸穴１２１が設けられる。弾性子２は、固定支持脚と同軸し、ブッシュ１２に嵌め設けられる。挿入ロッド３は、軸穴１２１に挿入し、レール１２３に進入するスライド部３１１を少なくとも一つ有し、挿入ロッド３の端には、力加え部３２が設けられる。力加え部３２が押圧されると、弾性子２が圧縮されて固定支持脚を圧迫する。【選択図】図１
0003153773.tif 000002
【実用新案登録請求の範囲】
【請求項１】
基板（５）に固定支持脚（４）を有する放熱モジュールを固定するためのものであり、スリーブ（１）と、弾性子（２）と、挿入ロッド（３）と、を含む放熱モジュール用固定部材において、
前記スリーブ（１）は、前記基板（５）と係合する定位端（１１）と、前記固定支持脚（４）と嵌合するブッシュ（１２）と、を有し、前記ブッシュ（１２）には、前記定位端（１１）へ伸びる軸穴（１２１）が設けられ、前記ブッシュ（１２）は、少なくとも前記軸穴（１２１）の内周面には、規制溝（１２４，１２６）を有するレール（１２３）が少なくとも一つ設けられ、
前記弾性子（２）は、前記固定支持脚（４）と同軸し、前記ブッシュ（１２）に嵌め設けられ、
前記挿入ロッド（３）は、前記軸穴（１２１）に挿入し、前記レール（１２３）に進入するスライド部（３１１）を少なくとも一つ有し、前記挿入ロッド（３）の他端には、力加え部（３２）が設けられ、前記力加え部（３２）が押圧されると、前記弾性子（２）が圧縮されて前記固定支持脚（４）を圧迫し、且つ前記スライド部（３１１）が前記レール（１２３）を沿って前記規制溝（１２６）に移動して係止され、これにより、前記固定支持脚（４）が前記基板（５）に安定に定位されることを特徴とする放熱モジュール用固定部材。
【請求項２】
前記規制溝（１２４，１２６）は、それぞれ前記レール（１２３）の両端に設けられることを特徴とする、請求項１に記載の放熱モジュール用固定部材。
【請求項３】
前記レール（１２３）の両端以外には、更に、規制溝（１２７）が設けられ、これにより、前記挿入ロッド（３）の前記弾性子（２）を圧縮する程度を多段に調整可能であることを特徴とする、請求項２に記載の放熱モジュール用固定部材。
【請求項４】
前記レール（１２３）は、前記軸穴（１２１）の軸方向に沿い前記軸穴（１２１）の中心を軸心とする螺旋レールであることを特徴とする、請求項１に記載の放熱モジュール用固定部材。
【請求項５】
前記レール（１２３）は、前記ブッシュ（１２）の内周面から前記ブッシュ（１２）の外周面に貫通するものであることを特徴とする、請求項４に記載の放熱モジュール用固定部材。
【請求項６】
前記軸穴（１２１）の開口には、前記スライド部（３１１）の数量および位置に対応するガイドレール（１２２）が設けられ、前記ガイドレール（１２２）が前記レール（１２３）と連通するので、前記スライド部（３１１）は、前記レール（１２３）に進入することができ、前記レール（１２３）から離脱することもできることを特徴とする、請求項４に記載の放熱モジュール用固定部材。
【請求項７】
前記力加え部（３２）には、ユーザが力を加え可能なリブ（３２１）が設けられることを特徴とする、請求項１に記載の放熱モジュール用固定部材。
【請求項８】
前記力加え部（３２）には、工具を挿入して前記力加え部（３２）全体を回動可能な合せ溝（３２２）が設けられることを特徴とする、請求項１に記載の放熱モジュール用固定部材。
【請求項９】
前記力加え部（３２）には、ユーザが力を加え可能なリブ（３２１）と、工具を挿入して前記力加え部（３２）全体を回動可能な合せ溝（３２２）と、が設けられることを特徴とする、請求項１に記載の放熱モジュール用固定部材。
【請求項１０】
前記定位端（１１）は、前記基板（５）と係合する円錐体であることを特徴とする、請求項１に記載の放熱モジュール用固定部材。
【請求項１１】
前記ブッシュ（１２）の外周面には、平面が少なくとも一つ設けられ、前記平面により放熱モジュールの前記ブッシュ（１２）に嵌められているときの位置を規制可能であることを特徴とする、請求項１に記載の放熱モジュール用固定部材。
【請求項１２】
前記定位端（１１）と前記ブッシュ（１２）の間には、前記固定支持脚（４）を受ける環状突起（１３）が設けられることを特徴とする、請求項１に記載の放熱モジュール用固定部材。
【考案の詳細な説明】
【技術分野】
【０００１】
本考案は、放熱モジュール用固定部材に関し、特に、放熱モジュールを快速に脱着可能であり、放熱モジュールに加える圧力を調整可能である放熱モジュール用固定部材に関するものである。
【背景技術】
【０００２】
電子回路が稼動しているときに廃熱が発生され、廃熱が溜まると電子回路の温度が高くなりすぎ、そうすると、電子回路が正常に稼動できなくなり、又は電子回路が損壊する可能性があり、特に、高速計算用の計算回路の場合には、廃熱の発生量が更に多くなる。この問題を解決するために、コンピュータのプロセッサー（例えばＣＰＵや映像処理チップなど）には、放熱子を設けることが一般になる。放熱子を固定する方式は、螺着、ホゾ嵌止、係止などに大別され、螺着方式によって放熱子を固定する技術は、例えば台湾特許第Ｉ３０３５５０号の「ラジエータ用係止具」が提案され、これは、基板の両側に螺合子（ネジ）とナットを螺合し、特に、螺合子とナットの間には、軸台と封止具が設けられ、この形態が従来の螺着方式とやや相違するが、依然として螺合子及びナットが使用される。
【０００３】
ホゾ嵌止方式によって放熱子を固定する技術は、例えば台湾特許第Ｍ３５０７４４号の「ラジエータ用係止具（二）」が提案され、これは、挿入ロッド、弾性子、スリーブとラジエータ支持脚台の前記スリーブに対応する溝を相互に係止し、前記弾性子の弾力によりラジエータ支持脚台が固定される。また、基板の貫通孔に前記スリーブの下端に設けられたフックを係止すると、放熱モジュール全体が固定される。しかし、このような構成によれば、構成が複雑であり、脱着が困難であり、生産コストが増加する欠点があった。
【０００４】
係止方式によって放熱子を固定する技術は、例えば台湾特許第４８１３００号の「ラジエータ用係止具」が提案され、前記係止具は、前記押付部と、前記押付部の両端からそれぞれ伸びる、第１弾性アームと、第２弾性アームと、から構成され、前記第１弾性アームには、下方に曲折された第１係り片が設けられ、前記第２弾性アームには、下方に曲折された第２係り片が設けられ、コネクタのスライド部に前記係止具を係合することにより一セットの放熱フィンを圧制すると、前記一セットの放熱フィンが固定される。しかし、このような構成によれば、前記放熱フィンには、前記係り片を挿通する貫通孔を設けることが必要であり、そうすると、前記放熱フィンの形態が規制される欠点があった。
【先行技術文献】
【特許文献】
【０００５】
【特許文献１】台湾特許第Ｉ３０３５５０号
【特許文献２】台湾特許第Ｍ３５０７４４号
【特許文献３】台湾特許第４８１３００号
【考案の概要】
【考案が解決しようとする課題】
【０００６】
本考案の主な目的は、構造が簡単であり、放熱モジュールの形態を規制せず、快速に固定することができる放熱モジュール用固定部材を提供することにある。
【課題を解決するための手段】
【０００７】
本考案の請求項１に記載の放熱モジュール用固定部材は、基板５に固定支持脚４を有する放熱モジュールを固定するためのものであり、スリーブ１と、弾性子２と、挿入ロッド３と、を含む放熱モジュール用固定部材において、
スリーブ１は、基板５と係合する定位端１１と、固定支持脚４と嵌合するブッシュ１２と、を有し、ブッシュ１２には、定位端１１へ伸びる軸穴１２１が設けられ、ブッシュ１２は、少なくとも軸穴１２１の内周面には、規制溝１２４，１２６を有するレール１２３が少なくとも一つ設けられ、
弾性子２は、固定支持脚４と同軸し、ブッシュ１２に嵌め設けられ、
挿入ロッド３は、軸穴１２１に挿入し、レール１２３に進入するスライド部３１１を少なくとも一つ有し、挿入ロッド３の他端には、力加え部３２が設けられ、力加え部３２が押圧されると、弾性子２が圧縮されて固定支持脚４を圧迫し、且つスライド部３１１がレール１２３を沿って前記規制溝１２６に移動して係止され、これにより、固定支持脚４が基板５に安定に定位されることを特徴とする放熱モジュール用固定部材である。
【０００８】
本考案の請求項２に記載の放熱モジュール用固定部材によると、規制溝１２４，１２６は、それぞれレール１２３の両端に設けられる。
【０００９】
本考案の請求項３に記載の放熱モジュール用固定部材によると、レール１２３の両端以外には、更に、規制溝１２７が設けられ、これにより、挿入ロッド３の弾性子２を圧縮する程度を多段に調整可能である。
【００１０】
本考案の請求項４に記載の放熱モジュール用固定部材によると、レール１２３は、軸穴１２１の軸方向に沿い軸穴１２１の中心を軸心とする螺旋レールである。
【００１１】
本考案の請求項５に記載の放熱モジュール用固定部材によると、レール１２３は、ブッシュ１２の内周面からブッシュ１２の外周面に貫通するものである。
【００１２】
本考案の請求項６に記載の放熱モジュール用固定部材によると、軸穴１２１の開口には、スライド部３１１の数量および位置に対応するガイドレール１２２が設けられ、ガイドレール１２２がレール１２３と連通するので、スライド部３１１は、レール１２３に進入することができ、レール１２３から離脱することもできる。
【００１３】
本考案の請求項７に記載の放熱モジュール用固定部材によると、力加え部３２には、ユーザが力を加え可能なリブ３２１が設けられる。
【００１４】
本考案の請求項８に記載の放熱モジュール用固定部材によると、力加え部３２には、工具を挿入して力加え部３２全体を回動可能な合せ溝３２２が設けられる。
【００１５】
本考案の請求項９に記載の放熱モジュール用固定部材によると、力加え部３２には、ユーザが力を加え可能なリブ３２１と、工具を挿入して力加え部３２全体を回動可能な合せ溝３２２と、が設けられる。
【００１６】
本考案の請求項１０に記載の放熱モジュール用固定部材によると、定位端１１は、基板５と係合する円錐体である。
【００１７】
本考案の請求項１１に記載の放熱モジュール用固定部材によると、ブッシュ１２の外周面には、平面が少なくとも一つ設けられ、前記平面により放熱モジュールのブッシュ１２に嵌められているときの位置を規制可能である。
【００１８】
本考案の請求項１２に記載の放熱モジュール用固定部材によると、定位端１１とブッシュ１２の間には、固定支持脚４を受ける環状突起１３が設けられる。
【考案の効果】
【００１９】
本考案の放熱モジュール用固定部材によれば、構造が簡単であり、放熱モジュールを快速に脱着可能であり、放熱モジュールに加える圧力を調整可能であるという効果を有する。
【図面の簡単な説明】
【００２０】
【図１】本考案の固定部材の分解斜視図である。
【図２】本考案のスリーブの斜視図である。
【図３】本考案の挿入ロッドとスリーブが結合された状態の模式図である。
【図４】Ａは本考案の挿入ロッドとスリーブが結合された状態での動作を示す模式図であり、Ｂは本考案の挿入ロッドとスリーブが結合された状態での別の動作を示す模式図であり、Ｃは本考案の挿入ロッドとスリーブが結合された状態での更に別の動作を示す模式図である。
【図５】本考案の固定部材の使用状態を示す模式図である。
【考案を実施するための最良の形態】
【００２１】
以下、本考案の実施の形態を図面に基づいて説明する。
まず、図１、図２及び図５を参照する。本考案の放熱モジュール用固定部材は、図５に示す基板５に、固定支持脚４（図４のＡ、Ｂ、Ｃ及び図５に示し）を有する放熱モジュールを定位するための固定部材である。図１は考案の固定部材の分解斜視図である。本考案の放熱モジュール用固定部材は、スリーブ１と、弾性子２と、挿入ロッド３と、を含む。スリーブ１は、定位端１１と、固定支持脚４と嵌合するブッシュ１２と、を有し、定位端１１が図５に示す基板５に係合されることにより、スリーブ１が基板５に立設され、且つ基板５を緩めないようにするために、定位端１１が円錐体に形成される。基板５にスリーブ１を固定したあと、固定支持脚４がブッシュ１２に嵌め設けられ、定位端１１とブッシュ１２の間には、固定支持脚４を受ける環状突起１３が設けられ、環状突起１３によりスリーブ１が基板５に安定に固定される。ブッシュ１２には、定位端１１へ伸びる軸穴１２１が設けられ、軸穴１２１の開口がブッシュ１２の前縁に位置される。ブッシュ１２は、少なくとも軸穴１２１の内周面には、レール１２３が少なくとも一つ設けられ、本実施形態では、ブッシュ１２の両側には、レール１２３がぞれそれ設けられ、レール１２３は、更に、ブッシュ１２の内周面からブッシュ１２の外周面に貫通するものであってもよく、また、レール１２３の両端に規制溝１２４、１２６をそれぞれ設けてもよく、レール１２３の両端以外に、更に、一つ又は一つ以上の規制溝１２７を設けてもよく、これにより、挿入ロッド３の弾性子２を圧縮する程度を多段に調整可能である。弾性子２は、固定支持脚４と同軸し、ブッシュ１２に嵌め設けられ、実際には、弾性子２は、固定支持脚４の上方に設けられてもいいし、固定支持脚４の下方に設けられてもよく、弾性子２の弾力により固定支持脚４の位置が規制される。挿入ロッド３は、弾性子２がブッシュ１２に嵌められた後、ブッシュ１２と結合し、挿入ロッド３は、ロッド３１と、力加え部３２と、を含み、ロッド３１の周面には、レール１２３をスライドするスライド部３１１が少なくとも一つ設けられ、更に、ロッド３１の周面には、レール１２３の数量に対応するスライド部３１１が設けられてもよい。挿入ロッド３に設けられたスライド部３１１をレール１２３に嵌め込むために、軸穴１２１の開口には、スライド部３１１の数量および位置に対応するガイドレール１２２が設けられ、導入口１２５によりガイドレール１２２がレール１２３と連通するので、スライド部３１１は、レール１２３に進入することができ、レール１２３から離脱することもできる。
【００２２】
次に、図４のＡからＣを参照しながら本考案の組付方法を説明する。まず、図５に示す基板５にスリーブの定位端１１を固定して、ブッシュ１２に固定支持脚４と弾性子２を同軸に嵌め設ける。軸穴１２１に挿入ロッド３のロッド３１を挿入して、レール１２３にスライド部３１１を位置し、そうすると、力加え部３２に力を加えると、スライド部３１１がレール１２３をスライドする。力加え部３２は、リブ３２１でもいいし、工具を挿入して力加え部３２全体を回動可能な合せ溝３２２でもいいし、リブ３２１と合せ溝３２２を含んでもよい。力加え部３２がリブ３２１と合せ溝３２２を含む場合には、ユーザは状況を見て挿入ロッド３に力を加える方式を選択することができる。力加え部３２が押圧されると、スライド部３１１がレール１２３をスライドすると共に、弾性子４が圧縮されて固定支持脚４を圧迫し、且つスライド部３１１が規制溝１２６に滑り込んで定位され、これにより、弾性子２の弾力により固定支持脚４が安定に定位される。また、レール１２３の両端の間には、更に、規制溝１２７が設けられる場合には、挿入ロッド３の弾性子２を圧縮する程度を多段に調整することができる。そうすると、本考案の固定部材は、図５に示すように、基板５にスリーブ１の定位端１１を係合し、スリーブ１に放熱モジュールの固定支持脚４を嵌め設け、これにより、固定支持脚４の上端が弾性子２に圧制され、挿入ロッド３を下方に移動して弾性子２を圧縮すると、弾性子２の圧縮による弾力により固定支持脚４が安定に定位される。このように、このような構成によれば、放熱モジュールを快速に脱着することができ、挿入ロッド３のスリーブ１との係合位置を変化することにより弾性子２の圧縮による弾力を変化することができるので、適用可能な放熱モジュールの仕様が多くなる。
【００２３】
本考案の放熱モジュール用固定部材によれば、構造が簡単であり、放熱モジュールを快速に脱着可能であり、放熱モジュールに加える圧力を調整可能であり、挿入ロッド３のスリーブ１との係合位置を変化することにより弾性子２の圧縮による弾力を多段に変化することができる。そしてレール１２３は、軸穴１２１の軸方向に沿い軸穴１２１の中心を軸心とする螺旋レールである。ブッシュ１２の外周面には、図１に示すように、平面が少なくとも一つ設けられ、前記平面により固定支持脚４のブッシュ１２に嵌められているときの位置を規制することができる。
【００２４】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよい。
【符号の説明】
【００２５】
１：スリーブ、２：弾性子、３：挿入ロッド、４：固定支持脚、５：基板、１１：定位端、１２：ブッシュ、１３：環状突起、３１：ロッド、１２１：軸穴、１２２：ガイドレール、１２３：レール、１２４，１２６，１２７：規制溝、１２５：導入口、３１１：スライド部、３２１：リブ、３２２：合せ溝。
【産業上の利用可能性】
【００２６】
本考案は、放熱モジュールに適用することができる。
【図１】
0003153773.tif 000003
【図２】
0003153773.tif 000004
【図３】
0003153773.tif 000005
【図４】
0003153773.tif 000006
【図５】
0003153773.tif 000007